【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
尖った先端を有する針と、
回動ピンを介して前記針に取り付けられた、ほぼ平坦な少なくとも一つのウィングとを備え、
前記少なくとも一つのウィングは、前記針の挿入を容易にするように前記針の先端が晒された非防護位置と、不注意で針が刺さる可能性を低減するように前記針の先端への接触が防がれている防護位置との間で移動することができ、前記回動ピンは前記針から離間した構成で取り付けられている、安全針組立体。
【請求項２】
前記針はフーバー針を備えている請求項１に記載の安全針組立体。
【請求項３】
前記針は９０°針を備えている請求項１に記載の安全針組立体。
【請求項４】
前記少なくとも一つのウィングは第一ウィング及び第二ウィングを備えている請求項１に記載の安全針組立体。
【請求項５】
前記少なくとも一つのウィングは第一ウィング及び第二ウィングを備え、前記第一ウィング及び前記第二ウィングは、非防護位置にある時、ほぼ共平面であり、かつほぼ反対方向に外方向に延びており、前記第一ウィング及び前記第二ウィングは、防護位置にある時、前記針の先端が前記第一ウィングと前記第二ウィングの間に配置されている状態で、互いにほぼ平行である請求項１に記載の安全針組立体。
【請求項６】
前記少なくとも一つのウィングは、第一ウィング、第二ウィング及び第三ウィングを備え、前記第一ウィング及び前記第二ウィングは、非防護位置にある時、ほぼ反対方向に外方向に延びており、前記第一ウィング及び前記第二ウィングは、防護位置にある時、前記針が前記第一ウィングと前記第二ウィングの間に配置されている状態で、互いにほぼ平行であり、前記第三ウィングは、前記針の取り外し中においてグリップを提供するように前記針から離れて延びている請求項１に記載の安全針組立体。
【請求項７】
前記少なくとも一つのウィングは、巻くのを容易にする非防護位置へ移動することができる請求項１に記載の安全針組立体。
【請求項８】
前記針に形成されたハブをさらに備え、前記少なくとも一つのウィングは、前記ハブを介して前記針に取り付けられている請求項１に記載の安全針組立体。
【請求項９】
前記少なくとも一つのウィングが片手を用いて非防護位置から防護位置へ移動することができるように、前記少なくとも一つのウィングが構成されている請求項１に記載の安全針組立体。
【請求項１０】
前記針が注射部位から取り外される時に前記少なくとも一つのウィングが重力の作用で非防護位置から防護位置へ落下するように、前記少なくとも一つのウィングが前記針に取り付けられている請求項１に記載の安全針組立体。
【請求項１１】
前記少なくとも一つのウィングが重力の作用で非防護位置から防護位置に向けて落下するが重力の作用では完全には防護位置には落下しないように、前記少なくとも一つのウィングが前記針に取り付けられている請求項１に記載の安全針組立体。
【請求項１２】
前記針に形成されたハブをさらに備え、前記少なくとも一つのウィングは、前記ハブに取り付けられた回動ピンを介して前記針に取り付けられている請求項１に記載の安全針組立体。
【請求項１３】
前記少なくとも一つのウィングは、防護位置で固定されるように構成されている請求項１に記載の安全針組立体。
【請求項１４】
前記少なくとも一つのウィングは、防護位置で永久に固定されるように構成されている請求項１に記載の安全針組立体。
【請求項１５】
前記針に形成され、かつ前記少なくとも一つのウィングがそれを介して前記針に取り付けられている、ハブと、
前記ハブにおいて形成された少なくとも一つの第一移動止め部と、
第二ウィングにおいて形成された相補的な第二移動止め部とを備え、
前記ウィングの少なくとも一つの移動により、防護位置において前記ウィングを固定するように前記第一移動止め部又は前記第二移動止め部を係合させる請求項１に記載の安全針組立体。
【請求項１６】
前記針に形成され、かつ前記少なくとも一つのウィングがそれを介して前記針に取り付けられている、ハブと、
前記ハブにおいて形成された少なくとも一つの雌移動止め部と、
第二ウィングにおいて形成された相補的な雄移動止め部とを備え、
前記ウィングの少なくとも一つの移動により、防護位置において前記ウィングを固定するように前記雌移動止め部と前記雄移動止め部を係合させる請求項１に記載の安全針組立体。
【請求項１７】
前記二つのウィングが防護位置にある時、前記針の前記先端への接触を防ぐように、前記二つのウィングの遠端部が互いに接触する請求項１に記載の安全針組立体。
【請求項１８】
前記少なくとも一つのウィングは、前記針の挿入を容易にするように前記針の前記先端が晒される非防護位置と、不注意で針が刺さる可能性を低減するように前記針の前記先端への接触が防がれている防護位置との間で移動することができ、前記針が挿入部位から取り外される時に前記少なくとも一つのウィングが自身の重力の作用で非防護位置からほぼ防護位置へ落下することができるように、前記少なくとも一つのウィングが前記針に取り付けられている請求項１に記載の安全針組立体。
【請求項１９】
各ウィングを前記ハブに可動に取り付けるために、前記ハブの一部分及び前記少なくとも一つのウィングの一部分を通して延びているピンをさらに備えている請求項１に記載の安全針組立体。
【請求項２０】
各ウィングを前記ハブに可動に取り付けるために、前記ハブの一部分及び前記少なくとも一つのウィングの一部分を通して延びているステンレス鋼製ピンをさらに備えている請求項１に記載の安全針組立体。
【請求項２１】
尖った先端及び基部を有する針と、
前記針の基部の近傍において前記針に形成されたハブと、
前記ハブに回動可能に取り付けられた第一ウィング及び第二ウィングであって、前記第一ウィング及び前記第二ウィングは、前記針の挿入を容易にするように前記針の前記先端が晒された非防護位置と、不注意で針が刺さる可能性を低減するように前記針の前記先端への接触が防がれている防護位置との間で移動することができ、前記第一ウィング及び前記第二ウィングが非防護位置にある時、前記第一ウィングと前記第二ウィングはほぼ反対方向に外方向に延びており、前記第一ウィング及び前記第二ウィングが防護位置にある時、前記針の尖った先端が前記第一ウィングと前記第二ウィングの間に配置された状態で、前記第一ウィングと前記第二ウィングは互いにほぼ平行である、第一ウィング及び第二ウィングと、
各ウィング上に形成された第一移動止め部材と、
各第一移動止め部のために前記ハブ上に形成された相補的な第二移動止め部材とを備え、前記第一移動止め部材及び前記第二移動止め部材は、前記第一ウィング及び前記第二ウィングを防護位置で永久に固定するように協働するように構成されている、安全針組立体。
【請求項２２】
前記ハブから延びている第三ウィングをさらに備え、前記第三ウィングは、前記針が注射部位から取り外される時の把持を容易にするように構成されている、請求項２１に記載の安全針組立体。
【請求項２３】
前記針は９０°フーバー針である請求項２１に記載の安全針組立体。
【請求項２４】
水平アームを有する針を注射部位に挿入する段階と、
前記針を通して流体を注入する段階と、
前記注射部位から前記針を取り外す段階と、
前記針の挿入を容易にするように前記針の先端が晒されている非防護位置から、不注意で針が刺さる可能性を低減するように前記針の先端への接触が防がれている防護位置へほぼ平坦な少なくとも一つのウィングを移動させる段階とを備え、
前記少なくとも一つのほぼ平坦なウィングは、前記針の水平アームから離間した関係で回動可能に取り付けられている、注射方法。
【請求項２５】
前記ほぼ平坦な少なくとも一つのウィングを前記非防護位置から前記防護位置へ移動させる段階は、前記ほぼ平坦な少なくとも一つのウィングを一方の手で前記非防護位置から前記防護位置へ移動させる段階を備えている請求項２４に記載の方法。
【請求項２６】
前記ほぼ平坦な少なくとも一つのウィングの非防護位置から防護位置への移動は、前記針が前記注射部位から取り外される時に前記ほぼ平坦な少なくとも一つのウィングが落下することに少なくとも部分的に起因する請求項２４に記載の方法。
【請求項２７】
前記針を注射した後に前記注射部位近傍で前記ほぼ平坦な少なくとも一つのウィングを巻く段階をさらに備えている請求項２４に記載の方法。
【請求項２８】
前記ほぼ平坦な少なくとも一つのウィングを前記防護位置に固定する段階をさらに備えている請求項２４に記載の方法。
【請求項２９】
前記ほぼ平坦な少なくとも一つのウィングと第二ウィングを前記注射部位近傍に巻く段階をさらに備えている請求項２４に記載の方法。
【請求項３０】
前記注射部位から前記針を取り外す段階は、第三ウィングを把持し、前記針を前記注射部位から引く段階を備えている請求項２４に記載の方法。
【請求項３１】
少なくとも一つのウィングを非防護位置から防護位置へ移動させる段階は、前記第一ウィング及び前記第二ウィングを非防護位置から防護位置へ移動させる段階を備えている請求項２４に記載の方法。
【請求項３２】
非防護位置から防護位置へ少なくとも一つのウィングを移動させる段階は、前記第一ウィング及び前記第二ウィングを防護位置に永久に固定するように、前記第一ウィング及び前記第二ウィングを非防護位置から防護位置へ移動させる段階を備えている請求項２４に記載の方法。
【請求項３３】
第一ウィングと第二ウィングが互いに関してほぼ平行である非防護位置へハブに取り付けられた前記第一ウィング及び前記第二ウィングを移動させる段階と、
前記第一ウィング及び前記第二ウィングを共に把持する段階と、
前記ハブに取り付けられた針を注射部位へ挿入する段階と、前記針と前記第一ウィングと前記第二ウィングは、離間した関係で前記ハブに取り付けられており、
前記第一ウィングと前記第二ウィングが前記針からほぼ反対方向に延びかつ互いに関してほぼ共平面である非防護位置へ前記第一ウィング及び前記第二ウィングを移動させる段階と、
注射部位近傍において前記第一ウィング及び前記第二ウィングを巻く段階と、
前記針を通して流体を注射部位へ注射する段階と、
前記第一ウィング及び前記第二ウィングを解放する段階と、
ほぼ平坦な位置から平坦でない位置へ前記第一ウィング及び前記第二ウィングが重力の作用で落下するのを容易にするように、前記針を持ち上げて前記注射部位から離すことによって前記針を前記注射部位から取り外す段階と、
共通の手を用いて前記第一ウィング及び前記第二ウィングを防護位置に固定する段階とを備え、
前記第一ウィング及び前記第二ウィングが防護位置にある時、不注意で針が刺さる可能性を低減するように、前記第一ウィング及び前記第二ウィングが前記針の先端への接触を防ぐ注射方法。
【請求項３４】
前記針を前記注射部位から取り外す段階は、前記第一ウィング及び前記第二ウィングの少なくとも一方を把持することによって前記針を持ち上げて前記注射部位から離す段階を備えている請求項３３に記載の方法。
【請求項３５】
前記針を前記注射部位から取り外す段階は、外方向に延びている第三ウィングを把持して前記注射部位から離すことによって、前記注射部位から前記針を持ち上げる段階を備えている請求項３３に記載の方法。
【請求項３６】
前記第一ウィング及び前記第二ウィングを防護位置に固定する段階は、前記第一ウィング及び前記第二ウィングを防護位置へ永久に固定する段階を備えている請求項３３に記載の方法。
【請求項３７】
尖った先端と水平アームとを有する針と、
前記針にわたって形成され、かつ回動可能なピンを受容するボアを備えているハブと、
ほぼ平坦なウィングを前記ハブに回動可能に接続する接続部を備えているほぼ平坦なウィングと、
管を収容するために前記ハブ内に配置された管ポートとを備えている、安全針組立体。
【請求項３８】
前記ほぼ平坦なウィングと反対の側において前記ハブと回動可能に接続されている第二ウィングをさらに備えている請求項３７に記載の安全針組立体。
【請求項３９】
前記ハブと回動可能に接続されている第三ウィングをさらに備えている請求項３７に記載の安全針組立体。
【請求項４０】
前記ほぼ平坦なウィングの前記接続部は回動ピンを備え、前記回動ピンにより、前記ほぼ平坦なウィングが、前記ハブのボアに回動可能に接続することができる請求項３７に記載の安全針組立体。
【請求項４１】
前記ほぼ平坦なウィングの前記接続部はピンを備え、前記ピンは、前記ほぼ平坦なウィングに永久に取り付けられている請求項３７に記載の安全針組立体。
【請求項４２】
前記針は第一軸線を形成しており、前記接続部は、前記第一軸線と離間した第二の異なる軸線を形成している請求項３７に記載の安全針組立体。
【請求項４３】
第一針部と、前記第一針部に対して一定角度の第二針部とを有する針を備え、前記第一針部は針先端を備え、前記第二針部は、水平アームと、複数のボアを備えた針ハブと、前記ボアの二つに回動可能に取り付けられたほぼ平坦な第一ウィング及び第二ウィングと、前記針ハブの第三ボアに取り付けられた管ポートとを備えた、安全針組立体。
【請求項４４】
前記針ハブの第四ボアに取り付けられたほぼ平坦な第三ウィングをさらに備えた請求項４３に記載の安全針組立体。
【請求項４５】
前記針ハブは二つの雌移動止め部をさらに備え、前記ほぼ平坦な第一ウィング及び第二ウィングの各々は雄移動止め部を備え、前記雄移動止め部は、前記ほぼ平坦な第一ウィング及び第二ウィングを防護位置に位置決めするように、前記雌移動止め部と協働する請求項４３に記載の安全針組立体。
【請求項４６】
前記管ポートと連通した管をさらに備えた請求項４３に記載の安全針組立体。
【請求項４７】
前記針は第一軸線を形成しており、前記ほぼ平坦な第一ウィング及び第二ウィングが取り付けられる複数のボアは、互いに離間した第二軸線及び第三軸線を形成している請求項４３に記載の安全針組立体。
【請求項４８】
前記第四ボアと前記ほぼ平坦な第三ウィングは、前記針ハブの第一面上で位置決めされており、前記針ハブの前記第一面と反対の面は、チャンネルをさらに備えている請求項４４に記載の安全針組立体。
【請求項４９】
前記ほぼ平坦な第一ウィング及び第二ウィングの各々は遠端部を備え、前記二つの遠端部は、前記針の先端を遮蔽するように前記針の先端を通過して延びている請求項４５に記載の安全針組立体。
【請求項５０】
前記ほぼ平坦な第一ウィングの遠端部と前記ほぼ平坦な第二ウィングの遠端部は異なる方向に向いている請求項４９に記載の安全針組立体。